(57)【要約】      （修正有）【課題】階調表現が滑らかな昇華転写方式のメリットを活かした新たな印画物の製造方法、およびこれに用いる熱転写シートの組み合わせを提供する【解決手段】被転写体１０と、被転写体用熱転写シート２０と、中間転写媒体３０と、中間転写媒体用熱転写シート４０と、を準備する工程と、被転写体１０上に、被転写体用熱転写シート２０を用いて第１の画像Ｐ１を形成する工程と、中間転写媒体３０上に、中間転写媒体用熱転写シート４０を用いて第１の画像Ｐ１を反転した第２の画像Ｐ２を形成する工程と、中間転写媒体３０上の前記第２の画像Ｐ２を、被転写体１０上の第１の画像Ｐ１上に転写する工程と、により印画物を形成する。【選択図】図１
2020055143.tif 000002
【特許請求の範囲】
【請求項１】
被転写体と、被転写体用熱転写シートと、中間転写媒体と、中間転写媒体用熱転写シートと、を準備する工程と、
前記被転写体上に、前記被転写体用熱転写シートを用いて第１の画像を形成する工程と、
前記中間転写媒体上に、前記中間転写媒体用熱転写シートを用いて前記第１の画像を反転した第２の画像を形成する工程と、
前記中間転写媒体上の前記第２の画像を、前記被転写上の前記第１の画像上に転写する工程と、を含むことを特徴とする印画物の製造方法。
【請求項２】
前記被転写体用熱転写シートは、イエロー染料Ｙ１を含むイエロー染料層、マゼンタ染料Ｍ１を含むマゼンタ染料層、およびシアン染料Ｃ１を含むシアン染料層を有し、
前記中間転写媒体用熱転写シートは、イエロー染料Ｙ２を含むイエロー染料層、マゼンタ染料Ｍ２を含むマゼンタ染料層、およびシアン染料Ｃ２を含むシアン染料層を有し、
前記イエロー染料Ｙ１の最大吸収波長と前記イエロー染料Ｙ２の最大吸収波長が異なっており、
前記マゼンタ染料Ｍ１の最大吸収波長と前記マゼンタ染料Ｍ２の最大吸収波長が異なっており、
前記シアン染料Ｃ１の最大吸収波長と前記シアン染料Ｃ２の最大吸収波長が異なっている、ことを特徴とする請求項１に記載の印画物の製造方法。
【請求項３】
前記被転写体用熱転写シートは、イエロー染料Ｙ１を含むイエロー染料層、マゼンタ染料Ｍ１を含むマゼンタ染料層、およびシアン染料Ｃ１を含むシアン染料層を有し、
前記中間転写媒体用熱転写シートは、イエロー染料Ｙ２を含むイエロー染料層、マゼンタ染料Ｍ２を含むマゼンタ染料層、およびシアン染料Ｃ２を含むシアン染料層を有し、
前記イエロー染料Ｙ１の最大吸収波長と前記イエロー染料Ｙ２の最大吸収波長が同じであり、
前記マゼンタ染料Ｍ１の最大吸収波長と前記マゼンタ染料Ｍ２の最大吸収波長が同じであり、
前記シアン染料Ｃ１の最大吸収波長と前記シアン染料Ｃ２の最大吸収波長が同じである、ことを特徴とする請求項１に記載の印画物の製造方法。
【請求項４】
前記イエロー染料Ｙ１およびＹ２の最大吸収波長は、どちらも４００ｎｍ以上５００ｎｍ以下の範囲内にあり、
前記マゼンタ染料Ｍ１およびＭ２の最大吸収波長は、どちらも５００ｎｍ以上６００ｎｍ以下の範囲内にあり、
前記シアン染料Ｃ１およびＣ２の最大吸収波長は、どちらも６００ｎｍ以上７００ｎｍ以下の範囲内にあり、
前記イエロー染料Ｙ１、マゼンタ染料Ｍ１、およびシアン染料Ｃ１、それぞれの最大吸収波長は互いに８０ｎｍ以上離れており、
前記イエロー染料Ｙ２の最大吸収波長は、前記イエロー染料Ｙ１の最大吸収波長と前記マゼンタ染料Ｍ１の最大吸収波長の間であって、それぞれから３０ｎｍ以上離れており、
前記マゼンタ染料Ｍ２の最大吸収波長は、前記マゼンタ染料Ｍ１の最大吸収波長と前記シアン染料Ｃ１の最大吸収波長の間であって、それぞれから３０ｎｍ以上離れており、
前記シアン染料Ｃ２の最大吸収波長は、前記シアン染料Ｃ１の最大吸収波長よりも長波長側であって、当該シアン染料Ｃ１の最大吸収波長から３０ｎｍ以上１００ｎｍ以下の範囲内にある、ことを特徴とする請求項２に記載の印画物の製造方法。
【請求項５】
イエロー染料Ｙ１を含むイエロー染料層、マゼンタ染料Ｍ１を含むマゼンタ染料層、およびシアン染料Ｃ１を含むシアン染料層を有する第１の熱転写シートと、
イエロー染料Ｙ２を含むイエロー染料層、マゼンタ染料Ｍ２を含むマゼンタ染料層、およびシアン染料Ｃ２を含むシアン染料層を有する第２の熱転写シートと、の組み合わせであって、
前記イエロー染料Ｙ１およびＹ２の最大吸収波長は、どちらも４００ｎｍ以上５００ｎｍ以下の範囲内にあり、
前記マゼンタ染料Ｍ１およびＭ２の最大吸収波長は、どちらも５００ｎｍ以上６００ｎｍ以下の範囲内にあり、
前記シアン染料Ｃ１およびＣ２の最大吸収波長は、どちらも６００ｎｍ以上７００ｎｍ以下の範囲内にあり、
前記イエロー染料Ｙ１、マゼンタ染料Ｍ１、およびシアン染料Ｃ１、それぞれの最大吸収波長は互いに８０ｎｍ以上離れており、
前記イエロー染料Ｙ２の最大吸収波長は、前記イエロー染料Ｙ１の最大吸収波長と前記マゼンタ染料Ｍ１の最大吸収波長の間であって、それぞれから３０ｎｍ以上離れており、
前記マゼンタ染料Ｍ２の最大吸収波長は、前記マゼンタ染料Ｍ１の最大吸収波長と前記シアン染料Ｃ１の最大吸収波長の間であって、それぞれから３０ｎｍ以上離れており、
前記シアン染料Ｃ２の最大吸収波長は、前記シアン染料Ｃ１の最大吸収波長よりも長波長側であって、当該シアン染料Ｃ１の最大吸収波長から３０ｎｍ以上１００ｎｍ以下の範囲内にある、ことを特徴とする、第１の熱転写シートと第２の熱転写シートの組み合わせ。
【発明の詳細な説明】
【技術分野】
【０００１】
本発明は、印画物の製造方法および熱転写シートの組み合わせに関する。
【背景技術】
【０００２】
従来、昇華性染料を含む染料層が設けられた熱転写シートを用いた昇華転写方式の印画物の製造方法が知られている。昇華転写方式は、階調表現が滑らかであることがメリットであるが、用いられる熱転写シートを構成する染料層は、Ｙ（イエロー）、Ｍ（マゼンタ）、およびＣ（シアン）の３色である場合が多く（たとえば、特許文献１参照）、この３色でフルカラー画像を形成することとなるため、色再現性が劣ることがあった。
【０００３】
昇華転写方式において色再現性を向上するために、前記ＹＭＣに加え、これら以外の色の染料層を有する熱転写シートを用いることも考えられるが、この場合、被転写体側の受容層に繰り返し転写が行われることとなり、熱ダメージが蓄積され、熱転写シートと受容層との融着が生じたり、濃度低下が生じたりすることが懸念される。また、染料層の数が多くなると、その分だけ画像形成が長時間化するといった新たな課題が生じる。
【先行技術文献】
【特許文献】
【０００４】
【特許文献１】特開２００８−０８７３０９号公報
【発明の概要】
【発明が解決しようとする課題】
【０００５】
本発明は、このような状況下においてなされた発明であり、階調表現が滑らかな昇華転写方式のメリットを活かした新たな印画物の製造方法、およびこれに用いる熱転写シートの組み合わせを提供することを主たる課題とする。
【課題を解決するための手段】
【０００６】
前記課題を解決するための本発明は、印画物の製造方法であって、被転写体と、被転写体用熱転写シートと、中間転写媒体と、中間転写媒体用熱転写シートと、を準備する工程と、前記被転写体上に、前記被転写体用熱転写シートを用いて第１の画像を形成する工程と、前記中間転写媒体上に、前記中間転写媒体用熱転写シートを用いて前記第１の画像を反転した第２の画像を形成する工程と、前記中間転写媒体上の前記第２の画像を、前記被転写上の前記第１の画像上に転写する工程と、を含むことを特徴とする。
【０００７】
前記発明にあっては、前記被転写体用熱転写シートは、イエロー染料Ｙ１を含むイエロー染料層、マゼンタ染料Ｍ１を含むマゼンタ染料層、およびシアン染料Ｃ１を含むシアン染料層を有し、前記中間転写媒体用熱転写シートは、イエロー染料Ｙ２を含むイエロー染料層、マゼンタ染料Ｍ２を含むマゼンタ染料層、およびシアン染料Ｃ２を含むシアン染料層を有し、前記イエロー染料Ｙ１の最大吸収波長と前記イエロー染料Ｙ２の最大吸収波長が異なっており、前記マゼンタ染料Ｍ１の最大吸収波長と前記マゼンタ染料Ｍ２の最大吸収波長が異なっており、前記シアン染料Ｃ１の最大吸収波長と前記シアン染料Ｃ２の最大吸収波長が異なっていてもよい。
【０００８】
また一方で、前記発明にあっては、前記被転写体用熱転写シートは、イエロー染料Ｙ１を含むイエロー染料層、マゼンタ染料Ｍ１を含むマゼンタ染料層、およびシアン染料Ｃ１を含むシアン染料層を有し、前記中間転写媒体用熱転写シートは、イエロー染料Ｙ２を含むイエロー染料層、マゼンタ染料Ｍ２を含むマゼンタ染料層、およびシアン染料Ｃ２を含むシアン染料層を有し、前記イエロー染料Ｙ１の最大吸収波長と前記イエロー染料Ｙ２の最大吸収波長が同じであり、前記マゼンタ染料Ｍ１の最大吸収波長と前記マゼンタ染料Ｍ２の最大吸収波長が同じであり、前記シアン染料Ｃ１の最大吸収波長と前記シアン染料Ｃ２の最大吸収波長が同じであってもよい。
【０００９】
さらに、前記発明にあっては、前記イエロー染料Ｙ１およびＹ２の最大吸収波長は、どちらも４００ｎｍ以上５００ｎｍ以下の範囲内にあり、前記マゼンタ染料Ｍ１およびＭ２の最大吸収波長は、どちらも５００ｎｍ以上６００ｎｍ以下の範囲内にあり、前記シアン染料Ｃ１およびＣ２の最大吸収波長は、どちらも６００ｎｍ以上７００ｎｍ以下の範囲内にあり、前記イエロー染料Ｙ１、マゼンタ染料Ｍ１、およびシアン染料Ｃ１、それぞれの最大吸収波長は互いに８０ｎｍ以上離れており、前記イエロー染料Ｙ２の最大吸収波長は、前記イエロー染料Ｙ１の最大吸収波長と前記マゼンタ染料Ｍ１の最大吸収波長の間であって、それぞれから３０ｎｍ以上離れており、前記マゼンタ染料Ｍ２の最大吸収波長は、前記マゼンタ染料Ｍ１の最大吸収波長と前記シアン染料Ｃ１の最大吸収波長の間であって、それぞれから３０ｎｍ以上離れており、前記シアン染料Ｃ２の最大吸収波長は、前記シアン染料Ｃ１の最大吸収波長よりも長波長側であって、当該シアン染料Ｃ１の最大吸収波長から３０ｎｍ以上１００ｎｍ以下の範囲内にあってもよい。
【００１０】
前記課題を解決するための別の本発明は、イエロー染料Ｙ１を含むイエロー染料層、マゼンタ染料Ｍ１を含むマゼンタ染料層、およびシアン染料Ｃ１を含むシアン染料層を有する第１の熱転写シートと、イエロー染料Ｙ２を含むイエロー染料層、マゼンタ染料Ｍ２を含むマゼンタ染料層、およびシアン染料Ｃ２を含むシアン染料層を有する第２の熱転写シートと、の組み合わせであって、前記イエロー染料Ｙ１およびＹ２の最大吸収波長は、どちらも４００ｎｍ以上５００ｎｍ以下の範囲内にあり、前記マゼンタ染料Ｍ１およびＭ２の最大吸収波長は、どちらも５００ｎｍ以上６００ｎｍ以下の範囲内にあり、前記シアン染料Ｃ１およびＣ２の最大吸収波長は、どちらも６００ｎｍ以上７００ｎｍ以下の範囲内にあり、前記イエロー染料Ｙ１、マゼンタ染料Ｍ１、およびシアン染料Ｃ１、それぞれの最大吸収波長は互いに８０ｎｍ以上離れており、前記イエロー染料Ｙ２の最大吸収波長は、前記イエロー染料Ｙ１の最大吸収波長と前記マゼンタ染料Ｍ１の最大吸収波長の間であって、それぞれから３０ｎｍ以上離れており、前記マゼンタ染料Ｍ２の最大吸収波長は、前記マゼンタ染料Ｍ１の最大吸収波長と前記シアン染料Ｃ１の最大吸収波長の間であって、それぞれから３０ｎｍ以上離れており、前記シアン染料Ｃ２の最大吸収波長は、前記シアン染料Ｃ１の最大吸収波長よりも長波長側であって、当該シアン染料Ｃ１の最大吸収波長から３０ｎｍ以上１００ｎｍ以下の範囲内にあることを特徴とする。
【発明の効果】
【００１１】
本発明の印画物の製造方法によれば、昇華転写方式を採用していることから階調表現が滑らかでありつつ、色再現性に優れた高品質の印画物を製造することができる。また、本発明の熱転写シートの組み合わせを用いることでも、同様の効果を奏し得る。
【図面の簡単な説明】
【００１２】
【図１】本発明の実施形態にかかる印画物の製造方法を実施するための装置の構成図である。
【図２】第１の画像Ｐ１の波長毎の分光濃度の一例を示すグラフである。
【図３】第２の画像Ｐ２の波長毎の分光濃度の一例を示すグラフである。
【図４】第１の画像Ｐ１と第２の画像Ｐ２とを重ね合わせることにより形成された印画物Ｐの波長毎の分光濃度の一例を示すグラフである。
【図５】第１の画像Ｐ１と第２の画像Ｐ２とを重ね合わせることにより形成された印画物Ｐの波長毎の分光濃度の一例を示すグラフである。
【図６】被転写体用熱転写シートの一例の概略断面図である。
【発明を実施するための形態】
【００１３】
１．印画物の製造方法
以下に、本発明の実施形態にかかる印画物の製造方法について詳細に説明する。
【００１４】
図１は、本発明の実施形態にかかる印画物の製造方法を実施するための装置の構成図である。なお、図１に示す装置は、本発明の実施形態にかかる印画物の製造方法を実施するための装置の一例であって、本発明がこの装置に限定されることはない。
【００１５】
１−１．準備工程
図１に示す装置１００の構成図にあるように、本実施形態にかかる印画物の製造方法においては、被転写体１０と、被転写体用熱転写シート２０と、中間転写媒体３０と、中間転写媒体用熱転写シート４０と、を準備する工程が行われる。
【００１６】
この工程において準備される、被転写体１０、被転写体用熱転写シート２０、中間転写媒体３０、および中間転写媒体用熱転写シート４０、それぞれの具体的な構成については特に限定されることはない。なお、それぞれの具体的な構成の一例については、後述する。
【００１７】
１−２．第１の画像形成工程
次いで、図１に示す装置１００の構成図にあるように、本実施形態にかかる印画物の製造方法においては、図１中の符号Ｘの部分において、前記被転写体１０上に、サーマルヘッドＨ１および前記被転写体用熱転写シート２０を用いて、第１の画像Ｐ１を形成する工程が行われる。
【００１８】
図２は、第１の画像Ｐ１の波長毎の分光濃度の一例を示すグラフである。
【００１９】
たとえば、被転写体用熱転写シート２０に、イエロー染料Ｙ１を含むイエロー染料層、マゼンタ染料Ｍ１を含むマゼンタ染料層、およびシアン染料Ｃ１を含むシアン染料層が設けられており、これらの染料層を用いて黒ベタの第１の画像Ｐ１を形成した場合における、当該第１の画像Ｐ１の波長毎の分光濃度の一例は図２のようになる。なお、説明を分かりやすくするため、第１の画像Ｐ１が黒ベタであることを例に挙げているが、当該第１の画像Ｐ１はこれに限定されることはなく、最終的に製造しようとする印画物Ｐを、予め設定されたカラーテーブルに基づいて、被転写体用熱転写シート２０におけるイエロー染料Ｙ１、マゼンタ染料Ｍ１、およびシアン染料Ｃ１により形成した画像である。
【００２０】
第１画像Ｐ１の波長毎の分光濃度の測定については特に限定されることはなく、市販の分光濃度計を用いて測定可能である。図２および以下に示す図３〜４の分光濃度は、ｉ１ｉ０２（Ｘ−ｒｉｔｅ社  分光濃度計）を用いて測定したものである。
【００２１】
１−３．第２の画像形成工程
一方で、図１に示す装置１００の構成図にあるように、本実施形態にかかる印画物の製造方法においては、図１中の符号Ｙの部分において、前記中間転写媒体３０上に、サーマルヘッドＨ２および前記中間転写媒体用熱転写シート４０を用いて前記第１の画像Ｐ１を反転した第２の画像Ｐ２を形成する工程が行われる。
【００２２】
図３は、第２の画像Ｐ２の波長毎の分光濃度の一例を示すグラフである。
【００２３】
ここで、たとえば、中間転写媒体用熱転写シート４０に、イエロー染料Ｙ２を含むイエロー染料層、マゼンタ染料Ｍ２を含むマゼンタ染料層、およびシアン染料Ｃ２を含むシアン染料層が設けられており、これらの染料層を用いて黒ベタの第２の画像Ｐ２を形成した場合における、当該第２の画像Ｐ２の波長毎の分光濃度の一例は図３のようになる。なお、前記第１の画像Ｐ１と同様、説明を分かりやすくするため、第２の画像Ｐ２も黒ベタであることを例に挙げているが、当該第２の画像Ｐ２はこれに限定されることはなく、最終的に製造しようとする印画物Ｐの反転画像であって、予め設定されたカラーテーブルに基づいて、中間転写媒体用熱転写シート４０におけるイエロー染料Ｙ２、マゼンタ染料Ｍ２、およびシアン染料Ｃ２により形成した画像である。
【００２４】
１−４．転写（重ね合わせ）工程
次いで、図１に示す装置１００の構成図にあるように、本実施形態にかかる印画物の製造方法においては、図１中の符号Ｚの部分において、前記中間転写媒体３０上の前記第２の画像Ｐ２を、前記被転写体１０上の前記第１の画像Ｐ１上に転写する工程が行われ、所望の印画物Ｐが形成される。
【００２５】
図４は、第１の画像Ｐ１と第２の画像とを重ね合わせることにより形成された印画物Ｐの波長毎の分光濃度の一例を示すグラフである。
【００２６】
本実施形態にかかる印画物の製造方法において形成された印画物の波長毎の分光濃度の一例は図４のようになる。図４に示すように、本実施形態にかかる印画物の製造方法によれば、被転写体用熱転写シート２０によって被転写体１０上に形成された第１の画像Ｐ１と、中間転写媒体用熱転写シート４０によって中間転写媒体３０上に形成された第２の画像Ｐ２を重ね合わせて印画物Ｐが形成されることから、当該印画物Ｐの波長毎の分光濃度は、当然に第１の画像Ｐ１の分光濃度（図２）と第２の画像Ｐ２の分光濃度（図３）を重ね合わせたものとなる。したがって、図２および図３に示すように、被転写体用熱転写シート２０における各色（Ｙ、Ｍ、Ｃ）それぞれの染料層に含まれるＹ１染料、Ｍ１染料およびＣ１染料と、中間転写媒体用熱転写シート４０における各色（Ｙ、Ｍ、Ｃ）それぞれの染料層に含まれるＹ２染料、Ｍ２染料およびＣ２染料の最大吸収波長を異ならせることにより、被転写体用熱転写シート２０のみ、もしくは中間転写媒体用熱転写シート４０のみで形成した場合生じる、各色の分光濃度の谷を埋めることができ、色の再現性を格段に向上せしめることができる。
【００２７】
なお、上記の例によれば、最終的に形成された印画物Ｐには、イエロー染料Ｙ１、Ｙ２、マゼンタ染料Ｍ１、Ｍ２、シアン染料Ｃ１、Ｃ２、の６色の染料が含まれることとなる。当該６色を転写するにあたり、被転写体用熱転写シートに当該６色の染料をそれぞれ含む６つの染料層を形成し、この被転写体用熱転写シートを用いて印画物を形成することも可能ではあるが、この場合には、被転写体に６回にわたりサーマルヘッドからの熱ダメージが加わることとなり、融着などの不具合が生じる可能性がある。また、当該６色の染料層を中間転写媒体用熱転写シートに設け、中間転写媒体を用いて被転写体に転写を行うことも可能ではあるが、この場合には、６回にわたり中間転写媒体から被転写体への再転写が行われることとなり、完成した印画物は６層構造となり１層目と６層目との間に大きなギャップが生じ、画像がぼやけるおそれがある。画像のぼやけを回避するために、１つの中間転写媒体の受容層に６色分の転写を行うことも考えられるが、この場合には触媒褪色の問題が生じ得る。さらに、被転写体用熱転写シートに、イエロー染料Ｙ１とＹ２の双方を含むイエロー染料層、マゼンタ染料Ｍ１とＭ２の双方を含むマゼンタ染料層、およびシアン染料Ｃ１とＣ２の双方を含むシアン染料層を形成し、この被転写体用熱転写シートを用いて印画物を形成することも可能であるが、この場合、それぞれの染料層に含まれる２つの染料のそれぞれの量を転写時の熱量によって独立に調整することができないため、各染料の最大吸収波長の間に生じる谷は埋めることができても、色再現性は良好なものとはならない。一方で、本実施形態にかかる印刷物の形成方法によれば、所望する印刷物Ｐを形成するにあたり、上記の通り、被転写体１０に直接形成する第１の画像Ｐ１と、中間転写媒体３０を介して形成する第２の画像Ｐ２とに分けているため、被転写体への熱ダメージを最小限に抑え、かつ、中間転写媒体からの再転写の回数も最小限に抑えつつ、それぞれ異なる分光濃度を有する染料を用いることができるため、それぞれの染料の量を転写時の熱量によって別個独立に調整することで色再現性を向上せしめることが可能となる。
【００２８】
ここで、上記の例においては、被転写体用熱転写シート２０に設けられている各色染料層にそれぞれ含まれている染料（Ｙ１、Ｍ１、およびＣ１）と、中間転写媒体用熱転写シート４０に設けられている各色染料層にそれぞれ含まれている染料（Ｙ２、Ｍ２、およびＣ２）とが異なっていたが、本実施形態にかかる印刷物の形成方法においては、必ずしも異なっている必要はなく、同一の染料が用いられている、つまり、Ｙ１＝Ｙ２、Ｍ１＝Ｍ２、およびＣ１＝Ｃ２であってもよい。
【００２９】
この場合あっても、本実施形態にかかる印画物の製造方法においては、被転写体用熱転写シート２０によって被転写体１０上に形成された第１の画像Ｐ１と、中間転写媒体用熱転写シート４０によって中間転写媒体３０上に形成された第２の画像Ｐ２を重ね合わせて印画物Ｐが形成されることとなる。
【００３０】
図５は、第１の画像Ｐ１と第２の画像とを重ね合わせることにより形成された印画物Ｐの波長毎の分光濃度の一例を示すグラフである。
【００３１】
ここで、第１の画像Ｐ１と第２の画像Ｐ２は同じ染料を含む染料層により形成された画像であるため、その分光濃度は、どちらも図２に示す通りとなり、同一画像を重ね合わせることで完成された印画物Ｐは、図５に示すように、その濃度がより濃いものとなる。
【００３２】
以上、具体例を挙げて説明したように、本実施形態にかかる印画物の製造方法によれば、被転写体へ直接形成される第１の画像と、中間転写媒体を介して前記第１の画像に重ね合わされる第２の画像とにより最終的な印画物を形成するため、第１の画像を形成するために用いられる被転写体用熱転写シートにおける染料層に含まれる染料、および第２の画像を形成するために用いられる中間転写媒体用熱転写シートにおける染料層に含まれる染料の組合せを自由に選択することができ、また、それぞれの染料層に含まれる染料の量を別個独立に調整できるので、当該選択の仕方、いわば組み合わせによって、さらにはそれぞれの染料層を用いて形成される画像の濃度の調整によって、最終的に完成される印画物の色再現性や濃度を向上せしめることが可能となる。
【００３３】
２．本実施形態にかかる印画物の製造方法において準備されるもの
以下に、上記で説明した本実施形態にかかる印画物の製造方法において準備される被転写体、被転写体用熱転写シート、中間転写媒体、および中間転写媒体用熱転写シートの構成について説明する。
【００３４】
２−１．被転写体
本実施形態にかかる印画物の製造方法において準備される被転写体は、特に限定されることはなく、カード基材や熱転写受像シートなど、昇華型熱転写方式に用いられる従来公知の被転写体を適宜選択して用いることができる。
【００３５】
２−２．被転写体用熱転写シートおよび中間転写媒体用熱転写シート
本実施形態にかかる印画物の製造方法において準備される被転写体用熱転写シートそれ自体の構造については、特に限定されることはなく、昇華型熱転写方式に用いられる従来公知の熱転写シートを適宜選択して用いることができる。
【００３６】
また、本実施形態にかかる印画物の製造方法において準備される中間転写媒体用熱転写シートそれ自体の構造についても特に限定されることはなく、昇華型熱転写方式に用いられる従来公知の熱転写シートを適宜選択して用いることができる。
【００３７】
つまり、本実施形態において準備される被転写体用熱転写シートと中間転写媒体用熱転写シートの違いは、用途の違い、具体的には被転写体に画像を形成するために用いられるか、中間転写媒体に画像を形成するために用られるかの違いであって、そのもの自体の構造に違いはない。したがって、以下においては、被転写体用熱転写シートについて説明するが、そのまま中間転写媒体用熱転写シートにも適用可能である。
【００３８】
図６は、被転写体用熱転写シートの一例の概略断面図である。
【００３９】
図６に示すように、被転写体用熱転写シート２０は、基材２１と、基材２１の一方の面上に位置する染料層２２と、基材２１の他方の面上に位置する背面層２３と、から構成されていてもよく、前記染料層２２は、イエロー染料層２２Ｙ、マゼンタ染料層２２Ｍ、およびシアン染料層２２Ｃとが、面順次に配置されている構造であってもよい。
【００４０】
そして、被転写体用熱転写シート２０を構成する基材２１や背面層２３の材質や厚さなどについても特に限定されることはなく、従来公知の熱転写シートにおける基材や背面層を適宜選択して用いればよい。
【００４１】
被転写体用熱転写シート２０を構成する染料層２２は、昇華性染料とバインダーとを含有している。
【００４２】
昇華性染料は、特に限定されることはなく、従来公知の昇華性染料から適宜選択して用いることができるが、印画材料として良好な特性を有するもの、たとえば、十分な着色濃度を有し、光、熱、温度等により変退色しないものが好ましく、ジアリールメタン系染料、トリアリールメタン系染料、チアゾール系染料、メロシアニン染料、ピラゾロン染料、メチン系染料、インドアニリン系染料、アセトフェノンアゾメチン、ピラゾロアゾメチン、イミダゾルアゾメチン、イミダゾアゾメチン、ピリドンアゾメチン等のアゾメチン系染料、キサンテン系染料、オキサジン系染料、ジシアノスチレン、トリシアノスチレン等のシアノスチレン系染料、チアジン系染料、アジン系染料、アクリジン系染料、ベンゼンアゾ系染料、ピリドンアゾ、チオフェンアゾ、イソチアゾールアゾ、ピロールアゾ、ピラゾールアゾ、イミダゾールアゾ、チアジアゾールアゾ、トリアゾールアゾ、ジスアゾ等のアゾ系染料、スピロピラン系染料、インドリノスピロピラン系染料、フルオラン系染料、ローダミンラクタム系染料、ナフトキノン系染料、アントラキノン系染料、キノフタロン系染料などを例示できる。より具体的には、ディスパースレッド６０、ディスパースバイオレット２６、ＣｅｒｅｓＲｅｄ  ７Ｂ、Ｓａｍａｒｏｎ  Ｒｅｄ  Ｆ３ＢＳ等の赤色染料、ディスパースイエロー２３１、ＰＴＹ−５２、マクロレックスイエロー６Ｇ、等の黄色染料、ソルベントブルー６３、ワクソリンブルーＡＰ−ＦＷ、ホロンブリリアントブルーＳ−Ｒ、ＭＳブルー１００、Ｃ．Ｉ．ソルベントブルー２２等の青色染料などを例示できる。
【００４３】
上記昇華性染料を担持するためのバインダー樹脂としては、たとえば、エチルセルロース樹脂、ヒドロキシエチルセルロース樹脂、エチルヒドロキシセルロース樹脂、メチルセルロース樹脂、酢酸セルロース樹脂等のセルロース樹脂、ポリビニルアルコール、ポリ酢酸ビニル、ポリビニルブチラール、ポリビニルアセタール、ポリビニルピロリドン等のビニル樹脂、ポリ（メタ）アクリレート、ポリ（メタ）アクリルアミド等のアクリル樹脂、ポリウレタン、ポリアミド、ポリエステルなどを例示できる。これらの中でも、セルロース樹脂、ビニル樹脂、アクリル樹脂、ポリウレタン、ポリエステル等の樹脂が、耐熱性、染料の移行性等の点において好ましい。
【００４４】
染料層２２には、無機粒子、有機粒子等の添加剤が含有されていてもよい。無機粒子としては、カーボンブラック、シリカ、アルミナ、二酸化チタン、二硫化モリブデン等が挙げられ、有機粒子としては、ポリエチレンワックス等が挙げられる。また、染料層２２には、離型剤が含有されていてもよい。離型剤としては、シリコーンオイル、リン酸エステル、フッ素系材料等を挙げることができる。また、染料層２２には、イソシアネート、エポキシ樹脂、カルボジイミド等の各種の硬化剤が含有されていてもよい。
【００４５】
ここで、本実施形態にかかる印画物の製造方法にあっては、被転写体用熱転写シートに設けられている染料層中の染料と、中間転写媒体用熱転写シートに設けられている染料層中の染料、それぞれの最大吸収波長の関係を考慮することにより、これら２つの熱転写シートそれぞれによって形成した画像を重ね合わせた際に、色再現性や濃度の向上を図ることを特徴としている。したがって、被転写体用熱転写シートおよび中間転写媒体用熱転写シートそれぞれの染料層に含まれている染料同士の関係、換言すれば組み合わせが重要となる。
【００４６】
たとえば、被転写体用熱転写シートが、イエロー染料Ｙ１を含むイエロー染料層、マゼンタ染料Ｍ１を含むマゼンタ染料層、およびシアン染料Ｃ１を含むシアン染料層を有し、中間転写媒体用熱転写シートが、イエロー染料Ｙ２を含むイエロー染料層、マゼンタ染料Ｍ２を含むマゼンタ染料層、およびシアン染料Ｃ２を含むシアン染料層を有している場合にあっては、前記イエロー染料Ｙ１およびＹ２の最大吸収波長は、どちらも４００ｎｍ以上５００ｎｍ以下の範囲内にあり、前記マゼンタ染料Ｍ１およびＭ２の最大吸収波長は、どちらも５００ｎｍ以上６００ｎｍ以下の範囲内にあり、前記シアン染料Ｃ１およびＣ２の最大吸収波長は、どちらも６００ｎｍ以上７００ｎｍ以下の範囲内にあり、前記イエロー染料Ｙ１、マゼンタ染料Ｍ１、およびシアン染料Ｃ１、それぞれの最大吸収波長は互いに８０ｎｍ以上離れていることが好ましい。また、前記イエロー染料Ｙ２、マゼンタ染料Ｍ２、およびシアン染料Ｃ２、それぞれの最大吸収波長も互いに８０ｎｍ以上離れていることが好ましい。さらに、イエロー染料Ｙ１、イエロー染料Ｙ２、マゼンタ染料Ｍ１、マゼンタ染料Ｍ２、シアン染料Ｃ１およびシアン染料Ｃ２の最大吸収波長は、それぞれ互いに３０ｎｍ以上離れていることがより好ましい。
【００４７】
さらには、前記イエロー染料Ｙ２の最大吸収波長は、前記イエロー染料Ｙ１の最大吸収波長と前記マゼンタ染料Ｍ１の最大吸収波長の間にあり、前記マゼンタ染料Ｍ２の最大吸収波長は、前記マゼンタ染料Ｍ１の最大吸収波長と前記シアン染料Ｃ１の最大吸収波長の間にあり、それぞれから３０ｎｍ以上離れており、前記シアン染料Ｃ１の最大吸収波長は、前記シアン染料Ｃ１の最大吸収波長よりも長波長側であって、当該シアン染料Ｃ１の最大吸収波長から３０ｎｍ以上１００ｎｍ以下の範囲内にある、ような関係となることがより好ましい。
【００４８】
上記関係を満たすイエロー染料Ｙ１とＹ２の組み合わせとしては、たとえば、Ｄｉｓｐｅｒｓｅ  Ｙｅｌｌｏｗ  ２０１と、下記の構造式（１）で表される染料との組み合わせを挙げることができる。
【００４９】
【化１】
2020055143.tif 000003
【００５０】
また、上記関係を満たすマゼンタ染料Ｍ１とＭ２の組み合わせとしては、たとえば、下記の構造式（２）で表される染料と、下記の構造式（３）で表される染料との組合せを挙げることができる。
【００５１】
【化２】
2020055143.tif 000004
【００５２】
【化３】
2020055143.tif 000005
【００５３】
また、上記関係を満たすシアン染料Ｃ１とＣ２の組み合わせとしては、たとえば、Ｄｉｓｐｅｒｓｅ  Ｂｌｕｅ  ３５４と、下記の構造式（４）で表される染料との組み合わせを挙げることができる。
【００５４】
【化４】
2020055143.tif 000006
【００５５】
上記イエロー染料、マゼンタ染料、およびシアン染料の組み合わせは、一方を被転写体用熱転写シートの染料層に用い、他方を中間転写媒体用熱転写シートの染料層に用いればよい。また、上記の組み合わせは一例にすぎず、これら以外の染料を用いることも可能である。
【００５６】
２−３．中間転写媒体
本実施形態にかかる印画物の製造方法において準備される中間転写媒体は、特に限定されることはなく、昇華型熱転写方式に用いられる従来公知の中間転写媒体を適宜選択して用いることができる。中間転写媒体としては、たとえば、基材の一方の面上に、剥離層、プライマー層、保護層、および受容層をこの順で積層した構造を有してもよく、これら各層についても特に限定されることはない。
【符号の説明】
【００５７】
１０…被転写体
２０…被転写体用熱転写シート
３０…中間転写媒体
４０…中間転写媒体用熱転写シート
Ｐ１…第１の画像
Ｐ２…第２の画像
Ｐ…印画物
１００…印画物形成装置
【図１】
2020055143.tif 000007
【図２】
2020055143.tif 000008
【図３】
2020055143.tif 000009
【図４】
2020055143.tif 000010
【図５】
2020055143.tif 000011
【図６】
2020055143.tif 000012